(57)【要約】【課題】特定のコンテンツを除外して再生を行うことが可能な再生装置、再生方法及びプログラムにおいて、ＰＣではない再生装置側で、所定の属性データを有する複数のコンテンツを含むまとまった単位ごとに、再生の対象から除外する処理を可能とする。【解決手段】本発明の再生装置１０は、複数のコンテンツデータとその属性データとが記憶される記憶部１３０と、複数のコンテンツデータの全部または一部を再生対象のコンテンツデータとして設定する再生対象設定部１４４と、再生対象として設定されたコンテンツデータから選択された１または２以上のコンテンツデータを属性データごとに再生対象から除外する再生対象除外部１４４と、再生対象設定部１４４で設定されたコンテンツデータから再生対象除外部１４６で除外されたコンテンツデータを除外したコンテンツデータを再生する再生部１５０と、を備える。【選択図】図３
2008310908.tif 000002
【特許請求の範囲】
【請求項１】
複数のコンテンツデータと前記複数のコンテンツデータのそれぞれに対応付けられた属性データとが記憶される記憶部と、
前記複数のコンテンツデータの全部または一部を再生対象のコンテンツデータとして設定する再生対象設定部と、
前記再生対象として設定されたコンテンツデータから選択された１または２以上のコンテンツデータを、前記属性データごとに前記再生対象から除外する再生対象除外部と、
前記再生対象設定部で設定されたコンテンツデータから前記再生対象除外部で除外されたコンテンツデータを除外したコンテンツデータを再生する再生部と、
を備えることを特徴とする、再生装置。
【請求項２】
前記記憶部に記憶された複数のコンテンツデータの再生方法を示す再生モードを設定する再生モード設定部をさらに備え、
前記再生対象除外部は、前記再生モード設定部により前記再生モードが複数のコンテンツデータを順不同に再生するランダム再生モードに設定された場合にのみ、前記選択された１または２以上のコンテンツデータを前記再生対象から除外することを特徴とする、請求項１に記載の再生装置。
【請求項３】
ユーザによる操作に応じて入力信号を生成して当該入力信号を出力する操作部をさらに備え、
前記再生対象除外部は、前記再生対象から除外した１または２以上のコンテンツデータについての再生を指示する旨の再生指示信号が前記操作部により生成され、当該再生指示信号を前記操作部から受け取った場合に、前記再生が指示されたコンテンツデータの再生を前記再生部に行わせずに、前記再生対象のコンテンツデータから任意に選択された１のコンテンツデータの再生を前記再生部に行わせることを特徴とする、請求項１に記載の再生装置。
【請求項４】
ユーザによる操作に応じて入力信号を生成して当該入力信号を出力する操作部をさらに備え、
前記再生対象除外部は、前記再生対象から除外した１または２以上のコンテンツデータについての再生を指示する旨の再生指示信号が前記操作部により生成され、当該再生指示信号を前記操作部から受け取った場合に、前記再生が指示されたコンテンツデータが前記再生対象から除外されている旨の表示を表示部に行わせることを特徴とする、請求項１に記載の再生装置。
【請求項５】
ユーザによる操作に応じて入力信号を生成して当該入力信号を出力する操作部をさらに備え、
前記再生対象除外部は、前記再生対象から除外した１または２以上のコンテンツデータについての再生を指示する旨の再生指示信号が前記操作部により生成され、当該再生指示信号を前記操作部から受け取った場合に、前記再生が指示されたコンテンツデータを前記再生部に再生させることを特徴とする、請求項１に記載の再生装置。
【請求項６】
前記再生対象除外部は、前記操作部により再生が指示されたコンテンツデータが再生された場合に、他の前記再生対象から除外した１または２以上のコンテンツデータを前記再生部に再生させないことを特徴とする、請求項５に記載の再生装置。
【請求項７】
前記再生対象除外部は、前記操作部により再生が指示されたコンテンツデータが再生された場合に、他の前記再生対象から除外した１または２以上のコンテンツデータを前記再生部に再生させることを特徴とする、請求項５に記載の再生装置。
【請求項８】
ユーザによる操作に応じて入力信号を生成して当該入力信号を出力する操作部をさらに備え、
前記再生対象除外部は、前記再生対象から除外した１または２以上のコンテンツデータの前記操作部による選択が不能となる表示を表示部に行わせることを特徴とする、請求項１に記載の再生装置。
【請求項９】
前記再生対象除外部は、前記再生対象から除外した１または２以上のコンテンツデータを表示部に表示させないことを特徴とする、請求項１に記載の再生装置。
【請求項１０】
前記再生モード設定部により前記再生モードが前記ランダム再生モードに設定され、かつ、前記再生対象設定部により特定のフォルダ内のコンテンツデータが前記再生対象として設定された場合であって、前記特定のフォルダが前記再生対象から除外したコンテンツデータのみを含む場合には、
前記再生対象除外部は、任意に選択された前記再生対象のコンテンツデータが含まれるフォルダ内のコンテンツデータを前記再生部に再生させることを特徴とする、請求項１に記載の再生装置。
【請求項１１】
前記再生モード設定部により前記再生モードが前記ランダム再生モードに設定され、かつ、前記再生対象設定部により特定のフォルダ内のコンテンツデータが前記再生対象として設定された場合であって、前記特定のフォルダが前記再生対象から除外したコンテンツデータのみを含む場合には、
前記再生対象除外部は、前記特定のフォルダが前記再生対象から除外したコンテンツデータのみを含む旨を表示部に表示させることを特徴とする、請求項１に記載の再生装置。
【請求項１２】
前記再生モード設定部により前記再生モードが前記ランダム再生モードに設定され、かつ、前記再生対象設定部により特定のフォルダ内のコンテンツデータが前記再生対象として設定された場合であって、前記特定のフォルダが前記再生対象から除外したコンテンツデータのみを含む場合には、
前記再生対象除外部は、前記特定のフォルダ内のコンテンツデータを前記再生部に再生させることを特徴とする、請求項１に記載の再生装置。
【請求項１３】
前記再生部は、
前記再生対象設定部により設定された前記再生対象のコンテンツデータと、前記再生対象除外部により除外された前記１または２以上のコンテンツデータとに基づいて、再生するコンテンツデータを含む再生予定リストを作成する再生予定リスト作成部と、
前記再生予定リストに基づいて、前記コンテンツデータを再生するコンテンツ再生部と、
を有することを特徴とする、請求項１に記載の再生装置。
【請求項１４】
前記再生対象設定部が、前記再生対象除外部が前記再生対象から除外した属性データを有する複数のコンテンツデータの集合を前記再生対象として設定した場合には、
前記再生予定リスト作成部は、前記再生対象除外部が除外したコンテンツデータを除外せずに前記再生予定リストを作成することを特徴とする、請求項１３に記載の再生装置。
【請求項１５】
前記再生対象除外部は、前記再生モード設定部により特定の再生モードが設定され、前記再生対象設定部により特定のコンテンツデータが再生対象として設定された場合にのみ、前記再生対象から除外するコンテンツデータとして選択された１または２以上のコンテンツデータを前記再生対象から除外することを特徴とする、請求項１に記載の再生装置。
【請求項１６】
１または２以上のコンテンツデータ及び当該１または２以上のコンテンツデータのそれぞれに対応付けられた属性データを記録及び転送可能な他の機器に接続された際に、
前記再生対象除外部は、前記再生対象から除外したコンテンツデータに関する情報を前記他の機器に提供することを特徴とする、請求項１に記載の再生装置。
【請求項１７】
複数のコンテンツデータと前記複数のコンテンツデータのそれぞれに対応付けられた属性データを記憶する記憶ステップと、
前記複数のコンテンツデータの全部または一部を再生対象のコンテンツデータとして設定する再生対象設定ステップと、
前記再生対象として設定されたコンテンツデータのうちの１または２以上のコンテンツデータを、前記属性データごとに前記再生対象から除外する再生対象除外ステップと、
前記再生対象設定ステップで設定されたコンテンツデータから前記再生対象除外ステップで除外されたコンテンツデータを除外したコンテンツデータを再生する再生ステップと、
を含むことを特徴とする、再生方法。
【請求項１８】
コンピュータを、
複数のコンテンツデータと前記複数のコンテンツデータのそれぞれに対応付けられた属性データとが記憶される記憶部と、
前記複数のコンテンツデータの全部または一部を再生対象のコンテンツデータとして設定する再生対象設定部と、
前記再生対象として設定されたコンテンツデータから選択された１または２以上のコンテンツデータを、前記属性データごとに前記再生対象から除外する再生対象除外部と、
前記再生対象設定ステップで設定されたコンテンツデータから前記再生対象除外ステップで除外されたコンテンツデータを除外したコンテンツデータを再生する再生部と、
して機能させるためのプログラム。
【発明の詳細な説明】
【技術分野】
【０００１】
本発明は、予め再生対象から除外するコンテンツを指定しておくことで、特定のコンテンツを除外して再生を行うことが可能な再生装置、再生方法及びプログラムに関する。
【背景技術】
【０００２】
従来から、光ディスクに記録されたコンテンツを順不同に再生するランダム再生機能を有する再生装置がある（例えば、特許文献１を参照）。ランダム再生の場合は、再生されるコンテンツが、ユーザの意図によらず機器によりランダムに選択されるので、曲選択の意外性がユーザに受けている。特に、最近では、再生されるコンテンツが、ハードディスク（ＨＤＤ：Ｈａｒｄ  Ｄｉｓｋ  Ｄｒｉｖｅ）やフラッシュメモリのような大容量のメモリに記憶されることが多くなってきているため、曲選択の意外性が増しており、ユーザは自ら記憶させたコンテンツに対しても、新しい発見をすることができる。
【０００３】
ところが、例えば、ランダム再生で音楽コンテンツを視聴している際に、語学学習のコンテンツやニュースなど、音楽と全く異なるジャンルのコンテンツが再生されると、音楽コンテンツを楽しんでいたユーザの気分を害してしまう場合がある。
【０００４】
このような状況を改善するために、例えば、パーソナルコンピュータ（ＰＣ：Ｐｅｒｓｏｎａｌ  Ｃｏｍｐｕｔｅｒ）にインストールされた専用のソフトウェア（例えば、本件出願人のＳｏｎｉｃ  Ｓｔａｇｅ（登録商標）等のジュークボックスソフトウェア）を利用して、再生を希望しない個々のコンテンツについて、ランダム再生の対象から除外する処理を事前に行い、そのコンテンツを携帯型音楽プレーヤー等の再生機器に転送することにより、ランダム再生の対象から特定のコンテンツを除外する方法がある。
【０００５】
【特許文献１】特開平１０−１４９６０９号公報
【発明の開示】
【発明が解決しようとする課題】
【０００６】
しかしながら、上述した方法では、事前にＰＣ上で、個々のコンテンツごとに（例えば、音楽コンテンツであれば１曲ずつ）ランダム再生の対象から除外する処理を行う必要があり、ユーザにとって非常に煩雑であり、処理には必ず専用のソフトウェアがインストールされたＰＣ上が必要となる、という問題があった。
【０００７】
また、このような問題は、ランダム再生を行う場合に限られず、例えば、ＨＤＤに記憶されている複数のコンテンツを、そのコンテンツのファイル名やそのコンテンツが保存されているフォルダ名等の順序で再生する場合にも同様の問題は起こり得る。
【０００８】
そこで、本発明は、このような問題に鑑みてなされたもので、予め再生対象から除外するコンテンツを指定しておくことで、特定のコンテンツを除外して再生を行うことが可能な再生装置、再生方法及びプログラムにおいて、専用のソフトウェアがインストールされたＰＣではない再生装置側で、所定の属性データを有する複数のコンテンツを含むまとまった単位ごとに、再生の対象から除外する処理を可能とすることを目的とする。
【課題を解決するための手段】
【０００９】
上記課題を解決するために、本発明のある観点によれば、複数のコンテンツデータと前記複数のコンテンツデータのそれぞれに対応付けられた属性データとが記憶される記憶部と、前記複数のコンテンツデータの全部または一部を再生対象のコンテンツデータとして設定する再生対象設定部と、前記再生対象として設定されたコンテンツデータから選択された１または２以上のコンテンツデータを、前記属性データごとに前記再生対象から除外する再生対象除外部と、前記再生対象設定部で設定されたコンテンツデータから前記再生対象除外部で除外されたコンテンツデータを除外したコンテンツデータを再生する再生部と、を備える再生装置が提供される。
【００１０】
ここで、前記再生装置は、前記記憶部に記憶された複数のコンテンツデータの再生方法を示す再生モードを設定する再生モード設定部をさらに備え、前記再生対象除外部は、前記再生モード設定部により前記再生モードが複数のコンテンツデータを順不同に再生するランダム再生モードに設定された場合にのみ、前記選択された１または２以上のコンテンツデータを前記再生対象から除外するようにしてもよい。
【００１１】
前記再生装置は、ユーザによる操作に応じて入力信号を生成して当該入力信号を出力する操作部をさらに備えていてもよい。前記再生対象除外部は、前記再生対象から除外した１または２以上のコンテンツデータについての再生を指示する旨の再生指示信号が前記操作部により生成され、当該再生指示信号を前記操作部から受け取った場合には、（１）前記再生が指示されたコンテンツデータの再生を前記再生部に行わせずに、前記再生対象のコンテンツデータから任意に選択された１のコンテンツデータの再生を前記再生部に行わせてもよく、（２）前記再生が指示されたコンテンツデータが前記再生対象から除外されている旨の表示を表示部に行わせてもよく、（３）前記再生が指示されたコンテンツデータを前記再生部に再生させてもよい。
【００１２】
また、前記再生対象除外部は、前記操作部により再生が指示されたコンテンツデータが再生された場合（前記（３）の場合）に、他の前記再生対象から除外した１または２以上のコンテンツデータを前記再生部に再生させないようにしてもよく、逆に、他の前記再生対象から除外した１または２以上のコンテンツデータを前記再生部に再生させてもよい。
【００１３】
前記再生装置は、ユーザによる操作に応じて入力信号を生成して当該入力信号を出力する操作部をさらに備え、前記再生対象除外部は、前記再生対象から除外した１または２以上のコンテンツデータの前記操作部による選択が不能となる表示（例えば、グレーアウト表示）を表示部に行わせてもよい。
【００１４】
一方、前記再生対象除外部は、前記再生対象から除外した１または２以上のコンテンツデータを表示部に表示させないようにしてもよい。
【００１５】
前記再生モード設定部により前記再生モードが前記ランダム再生モードに設定され、かつ、前記再生対象設定部により特定のフォルダ内のコンテンツデータが前記再生対象として設定された場合であって、前記特定のフォルダが前記再生対象から除外したコンテンツデータのみを含む場合には、（４）前記再生対象除外部は、任意に選択された前記再生対象のコンテンツデータが含まれるフォルダ内のコンテンツデータを前記再生部に再生させてもよく、（５）前記再生対象除外部は、前記特定のフォルダが前記再生対象から除外したコンテンツデータのみを含む旨を表示部に表示させてもよく、（６）前記再生対象除外部は、前記特定のフォルダ内のコンテンツデータを前記再生部に再生させてもよい。
【００１６】
前記再生部は、前記再生対象設定部により設定された前記再生対象のコンテンツデータと、前記再生対象除外部により除外された前記１または２以上のコンテンツデータとに基づいて、再生するコンテンツデータを含む再生予定リストを作成する再生予定リスト作成部と、前記再生予定リストに基づいて、前記コンテンツデータを再生するコンテンツ再生部と、を有していてもよい。
【００１７】
この場合に、前記再生対象設定部が、前記再生対象除外部が前記再生対象から除外した属性データを有する複数のコンテンツデータの集合を前記再生対象として設定した場合には、前記再生予定リスト作成部は、前記再生対象除外部が除外したコンテンツデータを除外せずに前記再生予定リストを作成することもできる。
【００１８】
前記再生対象除外部は、前記再生モード設定部により特定の再生モードが設定され、前記再生対象設定部により特定のコンテンツデータが再生対象として設定された場合にのみ、前記再生対象から除外するコンテンツデータとして選択された１または２以上のコンテンツデータを前記再生対象から除外するようにしてもよい。
【００１９】
前記再生装置が、１または２以上のコンテンツデータ及び当該１または２以上のコンテンツデータのそれぞれに対応付けられた属性データを記録及び転送可能な他の機器に接続された際に、前記再生対象除外部は、前記再生対象から除外したコンテンツデータに関する情報を前記他の機器に提供することもできる。
【００２０】
上記課題を解決するために、本発明の他の観点によれば、複数のコンテンツデータと前記複数のコンテンツデータのそれぞれに対応付けられた属性データを記憶する記憶ステップと、前記複数のコンテンツデータの全部または一部を再生対象のコンテンツデータとして設定する再生対象設定ステップと、前記再生対象として設定されたコンテンツデータのうちの１または２以上のコンテンツデータを、前記属性データごとに前記再生対象から除外する再生対象除外ステップと、前記再生対象設定ステップで設定されたコンテンツデータから前記再生対象除外ステップで除外されたコンテンツデータを除外したコンテンツデータを再生する再生ステップと、を含む再生方法が提供される。
【００２１】
上記課題を解決するために、本発明のさらに他の観点によれば、コンピュータを、複数のコンテンツデータと前記複数のコンテンツデータのそれぞれに対応付けられた属性データとが記憶される記憶部と、前記複数のコンテンツデータの全部または一部を再生対象のコンテンツデータとして設定する再生対象設定部と、前記再生対象として設定されたコンテンツデータから選択された１または２以上のコンテンツデータを、前記属性データごとに前記再生対象から除外する再生対象除外部と、前記再生対象設定ステップで設定されたコンテンツデータから前記再生対象除外ステップで除外されたコンテンツデータを除外したコンテンツデータを再生する再生部として機能させるためのプログラムが提供される。
【００２２】
以上のように、本発明にかかる再生装置、再生方法及びプログラムにおいては、再生対象除外部が、特定の属性データごとに再生対象から除外するコンテンツを設定することにより、ジャンルやアルバム等のまとまった単位ごとに、再生対象から除外するコンテンツを設定することができる。したがって、ユーザは、少ない入力操作で簡単に、再生対象から除外したいコンテンツを選択して機器に登録することができるので、ユーザ操作の煩雑さが解消される。また、本発明によれば、このような簡単な操作により、ユーザがコンテンツを視聴している際に、視聴中のコンテンツと全く異なる属性データを有するコンテンツが再生されるというような状況を回避することができる。例えば、ユーザは、ランダム再生で音楽コンテンツを視聴している場合に、語学学習のコンテンツやニュースなど、音楽というジャンルと全く異なるジャンルのコンテンツが再生されることがなく、ランダム再生による楽しみを満喫することができる。さらに、上記のような除外コンテンツの設定を、専用のアプリケーション（例えば、ジュークボックスソフトウェア）がインストールされた情報処理装置（ＰＣ）を利用して行う必要がなく、場所や時間を選ばずに、ユーザの都合に合わせて除外コンテンツの設定を行うことも可能となる。
【発明の効果】
【００２３】
本発明によれば、予め再生対象から除外するコンテンツを指定しておくことで、特定のコンテンツを除外して再生を行うことが可能な再生装置、再生方法及びプログラムにおいて、専用のソフトウェアがインストールされたＰＣではない再生装置側で、所定の属性データを有する複数のコンテンツを含むまとまった単位ごとに、再生の対象から除外する処理を行うことが可能である。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
［第１の実施形態］
以下に、本発明の第１の実施形態にかかる通信システム、再生装置、再生方法及びプログラムについて詳細に説明する。
【００２６】
（システム構成）
まず、図１に基づいて、本実施形態にかかる通信システム１００の全体構成について説明する。なお、図１は、本実施形態にかかる通信システム１００の全体構成を示す説明図である。
【００２７】
図１に示すように、本実施形態にかかる通信システム１００は、例えば、複数の再生装置１０−１、２、…、ｎ、（以下では「再生装置１０」と総称する場合もある。）と、複数の情報処理装置（ＰＣ）２０−１、２、…、ｎ、（以下では「情報処理装置２０」又は「ＰＣ２０」と総称する場合もある。）と、配信サーバ３０と、これら装置を相互に接続するネットワーク５及びローカルライン９と、記憶媒体７と、から構成される。
【００２８】
また、本実施形態におけるコンテンツデータ（以下、「コンテンツ」）は、例えば、音楽、講演、ラジオ番組等の音声（Ａｕｄｉｏ）コンテンツや、映画、テレビジョン番組、ビデオプログラム等からなる動画、或いは、写真、絵画、図表等を構成する静止画からなる映像（Ｖｉｄｅｏ）コンテンツ、電子図書（Ｅ−ｂｏｏｋ）、ゲーム、ソフトウェアなど、任意のコンテンツであってよい。以下では、コンテンツとして、音声コンテンツ、特に、配信サーバから配信された音楽コンテンツ、或いは音楽ＣＤからリッピングされた音楽コンテンツの例を挙げて説明するが、本発明はこのような例に限定されない。また、本実施形態にかかるコンテンツは、例えば、著作権管理対象コンテンツ、即ち、チェックイン・チェックアウト方式やグループ管理方式などの著作権管理方式で著作権管理されるコンテンツであってもよいし、或いは、著作権管理されないコンテンツであってもよい。
【００２９】
再生装置１０は、コンテンツを再生することが可能な再生装置であり、携帯可能なコンテンツ再生装置であるポータブルデバイス（Ｐｏｒｔａｂａｌｅ  Ｄｅｖｉｃｅ：以下「ＰＤ」という。）や据え置き型の再生装置等で構成される。より具体的には、再生装置１０は、例えば数十ＧＢの記憶容量を有するハードディスクドライブ（ＨＤＤ）を備えた携帯型オーディオプレーヤ１０−１や据え置き型オーディオプレーヤ１０−２などで構成されるが、このような例に限定されず、携帯型映像／音声プレーヤ、音楽再生機能付き携帯電話１０−３、ＰＨＳ、携帯型ゲーム機１０−４、家庭用ゲーム機、ＰＤＡ（Ｐｅｒｓｏｎａｌ  Ｄｉｇｉｔａｌ  Ａｓｓｉｓｔａｎｔ）、情報家電など、ネットワーク５を介した通信機能及びコンテンツの再生機能を有する各種の装置であってもよい。また、再生装置１０に内蔵された記憶媒体、或いは装填可能なリムーバブル記憶媒体７は、上記ＨＤＤの例に限定されず、光ディスク、光磁気ディスク、フラッシュメモリ、ＦｅＲＡＭ、及び、磁気メモリなど、ランダムアクセス可能な記憶媒体であれば構わない。なお、この再生装置１０は、コンテンツ再生専用機であってもよい。
【００３０】
この再生装置１０は、例えば、ローカルライン９を介して情報処理装置２０にローカル接続可能であり、情報処理装置２０との間で各種のデータを通信可能である。このローカルライン９は、例えば、例えばＵＳＢ（Ｕｎｉｖａｒｓａｌ  Ｓｅｒｉａｌ  Ｂｕｓ）ケーブル、ＳＣＳＩ（Ｓｍａｌｌ  Ｃｏｍｐｕｔｅｒ  Ｓｙｓｔｅｍ  Ｉｎｔｅｒｆａｃｅ）ケーブル等の有線ケーブルなどで構成される。なお、再生装置１０と情報処理装置２０とは、無線通信でデータ通信可能に構成されてもよい。
【００３１】
このような再生装置１０は、ローカルライン９を介して情報処理装置２０から転送されたコンテンツや、リムーバブル記憶媒体７によって提供されたコンテンツを再生することができる。
【００３２】
情報処理装置２０は、コンテンツを記録及び再生することが可能な記録再生装置である。より具体的には、情報処理装置２０は、例えば、パーソナルコンピュータ（Ｐｅｒｓｏｎａｌ  Ｃｏｍｐｕｔｅｒ：以下「ＰＣ」という。）等のコンピュータ装置（ノート型、デスクトップ型を問わない。）で構成されるが、このような例に限定されず、ネットワーク５を介した通信機能を有する機器であれば、例えばＰＤＡ、家庭用ゲーム機、情報家電などで構成することもできる。
【００３３】
この情報処理装置２０は、例えば、ネットワーク５を介して配信サーバ３０との間で通信接続可能である。この情報処理装置２０は、例えば、コンテンツ配信サービス用のソフトウェアや、リッピングコンテンツ共有サービス用のソフトウェアをインストール可能である。これにより、情報処理装置２０は、配信サーバ３０から配信されたコンテンツ（以下、「配信コンテンツ」）を取得し、この配信コンテンツをストレージ装置や記憶媒体７などの記録手段に記録することができる。
【００３４】
また、情報処理装置２０は、例えば、セルフレコーディング（自己録音、録画等）やリッピングなどによって、新規にコンテンツを作成して、ストレージ装置や記憶媒体７に記録することができる。なお、セルフレコーディングとは、情報処理装置２０自身が有する撮像装置／集音装置によって撮像／集音した映像／音声等を、映像／音声のデジタルデータとして記録することをいう。また、リッピングとは、音楽ＣＤ、ビデオＤＶＤ、ソフトウェア用ＣＤ−ＲＯＭ等の記憶媒体に記録されているデジタル形式のコンテンツデータ（音声データや映像データ等）を抽出し、コンピュータで処理可能なファイル形式に変換して、ストレージ装置や記憶媒体７に記録することをいう。
【００３５】
情報処理装置２０は、上記配信コンテンツおよびリッピングコンテンツを、例えば、ＡＴＲＡＣ３（Ａｄｖａｎｃｅｄ  Ｔｒａｎｓｆｏｒｍ  Ａｃｏｕｓｔｉｃ  Ｃｏｄｉｎｇ）方式、またはＭＰ３（ＭＰＥＧ  Ａｕｄｉｏ  Ｌａｙｅｒ−３）方式などの所定の圧縮符号化方式で圧縮符号化し、ＤＥＳ（Ｄａｔａ  Ｅｎｃｒｙｐｔｉｏｎ  Ｓｔａｎｄａｒｄ）などの暗号化方式で暗号化して記録できる。
【００３６】
さらに、情報処理装置２０は、上記配信コンテンツやリッピングコンテンツを、他の情報処理装置２０または再生装置１０との間で、ネットワーク５やローカルライン９を介して送受信する、或いは記憶媒体７を介してやり取りすることができる。これにより、複数の再生装置１０と情報処理装置２０との間で、コンテンツを提供または取得して、コンテンツを共有できる。
【００３７】
配信サーバ３０は、サーバ機能を備えたコンピュータ装置などで構成される。この配信サーバ３０は、コンテンツ配信サービスを提供するサーバであり、ユーザが所有する情報処理装置２０からの配信要求に応じて、当該情報処理装置２０にネットワーク５を介してコンテンツを配信する。
【００３８】
この配信サーバ３０は、例えば、電子音楽配信（ＥＭＤ；Ｅｌｅｃｔｒｏｎｉｃ  Ｍｕｓｉｃ  Ｄｉｓｔｒｉｂｕｔｉｏｎ）サービスを提供するＥＭＤサーバなどである。この配信サーバ３０は、配信対象の音楽コンテンツを、例えば、ＡＴＲＡＣ３方式またはＭＰ３方式などの圧縮符号化方式で圧縮符号化し、ＤＥＳなどの暗号化方式で暗号化した上で、情報処理装置２０に配信する。また、配信サーバ３０は、暗号化された配信コンテンツとともに、当該配信コンテンツを復号するためのコンテンツ鍵を暗号化して、情報処理装置２０に送信する。また、配信サーバ３０は、上記コンテンツの配信に応じて、コンテンツを購入したユーザに対し課金処理を行う。
【００３９】
ネットワーク５は、上記情報処理装置２０および配信サーバ３０を双方向通信可能に接続する通信回線網である。このネットワーク５は、例えば、インターネット、電話回線網、衛星通信網等の公衆回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網などで構成されており、有線・無線を問わない。
【００４０】
さらに、このネットワーク５は、私的ネットワークを含むものである。私的ネットワークとは、著作権管理の観点からみて、私的使用の範囲内でコンテンツを共有する複数の情報処理装置２０を相互に接続するネットワークである。このような私的ネットワークの具体例としては、例えば、同一ユーザによって使用される複数の情報処理装置２０を接続するネットワークや、同一の家庭内で使用される複数の情報処理装置２０を接続するホームネットワーク（例えば、ＤＬＮＡにより規格されたホームネットワーク等）、小規模の限られたグループ（会社、友人等）内で使用される複数の情報処理装置２０を接続するＬＡＮなどが挙げられる。
【００４１】
リムーバブル記憶媒体７は、コンテンツ、コンテンツの属性データ等の各種データを格納し、再生装置１０や情報処理装置２０に脱着可能な記憶媒体であり、例えば、ＤＶＤ−Ｒ、ＤＶＤ−ＲＷ、ＤＶＤ−ＲＡＭ、ＣＤ−Ｒ、ＣＤ−ＲＷ、光磁気ディスク等の各種の光ディスクや、フレキシブルディスク、ハードディスク等の磁気ディスク、各種の半導体メモリなどである。なお、このリムーバブル記憶媒体７は、例えば、暗号鍵等を用いてコンテンツのコピーや再生等を制限する著作権管理機能付きの記憶媒体であってもよい。
【００４２】
このリムーバブル記憶媒体７は、情報処理装置２０間におけるコンテンツの提供または取得を行うための記憶媒体として機能する。例えば、情報処理装置２０−１によってコンテンツが書き込まれたリムーバブル記憶媒体７を、情報処理装置２０−２にローディングして当該コンテンツを読み出すことにより、情報処理装置２０−１から情報処理装置２０−２に対しコンテンツを提供することができる。さらに、情報処理装置２０は、ネットワーク５に接続不能な再生装置１０との間でも、リムーバブル記憶媒体７を介してコンテンツを提供または取得することができる。また、このリムーバブル記憶媒体７は、情報処理装置２０間におけるコンテンツ属性データの提供または取得を行うための記憶媒体としても機能する。さらに、このリムーバブル記憶媒体７は、販売店の店頭等に設けられたコンテンツ販売端末（図示せず。）に挿入され、ユーザ操作に応じて購入されたコンテンツを記憶して、情報処理装置２０に提供することもできる。
【００４３】
（再生装置１０のハードウェア構成）
以下、図２に基づいて、上述した通信システム１００を構成する装置のうち再生装置１０の構成について詳細に説明する。なお、図２は、本実施形態にかかる再生装置１０のハードウェア構成の例を示すブロック図である。
【００４４】
図２に示すように、再生装置１０は、例えば、メイン制御装置１０１と、フラッシュメモリ１０２と、ＲＡＭ１０３と、データ処理装置１０４と、バス１０６と、入力装置１０８と、表示装置１１０と、ストレージ装置（ＨＤＤ）１１１と、デコーダ１１３と、通信装置１１５と、オーディオ出力回路１１６と、リモートコントローラ１１８と、ヘッドフォン１１９とを備える。
【００４５】
メイン制御装置１０１は、制御装置として機能し、再生装置１０の各部を制御する。フラッシュメモリ１０２は、例えば、メイン制御装置１０１の動作を規定したプログラムや、各種のデータを記憶する。また、ＲＡＭ１０３は、例えばＳＤＲＡＭ（Ｓｙｎｃｈｒｏｎｏｕｓ  ＤＲＡＭ）で構成され、メイン制御装置１０１の処理に関する各種データを一次記憶する。
【００４６】
データ処理装置１０４は、システムＬＳＩ等で構成され、再生装置１０内で転送されるデータを処理する。バス１０６は、メイン制御装置１０１、フラッシュメモリ１０２、ＲＡＭ１０３、データ処理装置１０４、入力装置１０８、表示装置１１０、ストレージ装置（ＨＤＤ）１１１、デコーダ１１３、通信装置１１５およびオーディオ出力回路１１６などを接続するデータ線である。
【００４７】
入力装置１０８とリモートコントローラ１１８は、例えば、タッチパネル、ボタンキー、レバー、ダイヤル等の操作手段と、ユーザによる操作手段に対する操作に応じて入力信号を生成してメイン制御装置１０１に出力する入力制御回路などから構成されている。再生装置１０のユーザは、この入力装置１０８や、後述のリモートコントローラ１１８を操作することにより、再生装置１０に対して各種のデータを入力したり処理動作を指示したりすることができる。
【００４８】
表示装置１１０は、例えばＬＣＤパネルおよびＬＣＤ制御回路や、有機ＥＬ（Ｏｒｇａｎｉｃ  Ｅｌｅｃｔｒｏ  Ｌｕｍｉｎｅｓｃｅｎｃｅ）パネルおよび有機ＥＬ制御回路などで構成される。この表示装置１１０は、メイン制御装置１０１の制御に応じて、各種情報をテキストまたはイメージで表示する。例えば、再生装置１０内に保有されているコンテンツの属性データを表示できる。このような属性データとしては、例えば、コンテンツのタイトル名、アルバム名、アーティスト名、ジャンル名、評価（ユーザによる当該コンテンツの評価）、再生回数、リリース年等のコンテンツのメタデータが挙げられる。
【００４９】
ストレージ装置１１１は、本実施形態にかかる再生装置１０の記憶部の一例として構成されたデータ格納用の装置である。このストレージ装置１１１は、例えば数十ＧＢの記憶容量を有するハードディスクドライブ（ＨＤＤ）で構成され、圧縮されたコンテンツや、メイン制御装置１０１のプログラム、処理データ等の各種のデータを格納する。なお、再生装置１０が具備する記憶媒体としては、このハードディスクドライブ以外にも、フラッシュメモリ１０２等の半導体メモリや、リムーバブル記憶媒体７を採用できる。
【００５０】
デコーダ１１３は、暗号化されているコンテンツデータの復号処理、デコード処理、サラウンド処理、ＰＣＭデータへの変換処理などを行う。
【００５１】
通信装置１１５は、ＵＳＢコントローラおよびＵＳＢ端子などで構成され、ＵＳＢケーブル等のローカルライン９を介して接続された情報処理装置２０との間で、コンテンツ、コンテンツの属性データ、制御信号などの各種データを送受信する。本通信装置１１５は、有線通信に限らず、無線通信により、情報処理装置２０と通信接続可能である。例えば、本通信装置１１５は、Ｂｌｕｅｔｏｏｔｈ、  ８０２．１１ａ／ｂ／ｇ等に対応することもできる。
【００５２】
オーディオ出力回路１１６は、デコーダ１１３により復号され、ＣＰＵによってＤＡ変換されたアナログ音声データを増幅してリモートコントローラ１１８に出力する。このアナログ音声データは、リモートコントローラ１１８からヘッドフォン１１９に出力され、ヘッドフォン１１９に内蔵されたスピーカから出力される。
【００５３】
ここで、このようなハードウェア構成の再生装置１０における主なデータフローについて説明する。
【００５４】
まず、再生装置１０が、情報処理装置（ＰＣ）２０から、コンテンツを受信したときのデータフローについて説明する。再生装置１０と情報処理装置２０とが、ＵＳＢケーブル等のローカルライン９で接続されると、情報処理装置２０では、再生装置１０は外部記憶媒体（ＨＤＤ）として認識される。この状態で、情報処理装置２０が再生装置１０にコンテンツデータおよび制御情報を送信すると、通信装置１１５は、これらのデータを受信する。次いで、受信されたコンテンツデータは、通信装置１１５によってストレージ装置１１１に直接記憶される。一方、通信装置１１５によって受信された制御情報は、データ処理装置１０４を経由して、メイン制御装置１０１に入力され、所定の記憶領域に記憶される。
【００５５】
次に、再生装置１０が、コンテンツを再生するときのデータフローについて説明する。まず、コンテンツの再生要求がメイン制御装置１０１に入力され、メイン制御装置１０１によって当該コンテンツの再生が許可された場合には、データ処理装置１０４は、再生対象のコンテンツをストレージ装置１１１から読み出して、ＲＡＭ１０３に転送すると同時並行して、ＲＡＭ１０３に転送されたコンテンツをデコーダ１１３に転送する。次いで、デコーダ１１３は、暗号化されているコンテンツの復号処理、デコード処理、サラウンド処理、ＰＣＭデータへの変換処理などを行い、メイン制御装置１０１に転送する。さらに、メイン制御装置１０１は、入力されたＰＣＭデータを、ＤＡ変換器（図示せず。）によってボリューム調整を行いアナログ音声データに変換して、オーディオ出力回路１１６のアンプに転送する。オーディオ出力回路１１６は、このアナログ音声データをリモートコントローラ１１８を介して、ヘッドフォン１１９から出力する。
【００５６】
（再生装置１０の機能構成）
次に、図３に基づいて、上述したハードウェア構成を有する本実施形態にかかる再生装置１０の主な機能について説明する。なお、図３は、本実施形態にかかる再生装置１０の機能構成を示すブロック図である。
【００５７】
図３に示すように、再生装置１０は、例えば、通信部１２０と、記憶部１３０と、操作部１４０と、再生モード設定部１４２と、再生対象設定部１４４と、再生対象除外部１４６と、再生部１５０と、表示部１６０と、を備える。
【００５８】
＜通信部１２０の機能＞
通信部１２０は、例えば、情報処理装置（ＰＣ）２０や、情報処理装置２０および配信サーバ３０を双方向通信可能に接続する通信回線網であるネットワーク５と情報の送受信を行う。通信部１２０が送受信する情報としては、例えば、情報処理装置２０から受信するコンテンツ、コンテンツの属性データ、制御信号などの各種データや、詳細は後述するが、情報処理装置２０に対して送信する再生対象から除外されたコンテンツに関する情報などがある。
【００５９】
＜記憶部１３０の機能＞
記憶部１３０は、例えば、ＨＤＤ等のストレージ装置１１１、フラッシュメモリ１０２、リムーバブル記憶媒体７などの記憶媒体で構成され、複数のコンテンツデータ１３２（以下、コンテンツ１３２という）及びそれぞれのコンテンツの属性データ１３４を記憶する機能を有する。記憶部１３０に記憶されているコンテンツ１３２には、通常、コンテンツ１３２を一意に識別するコンテンツＩＤが付加されている。記憶部１３０に記憶されているコンテンツ１３２は、例えば、再生装置１０が情報処理装置（ＰＣ）２０から通信部１２０を介して転送されたコンテンツや、リムーバブル記憶媒体７を介して取得されたコンテンツなどである。また、記憶部１３０に記憶されているコンテンツ１３２は、再生装置１０が、通信部１２０を介して、配信サーバ３０や他の再生装置１０などの外部装置から取得したコンテンツであってもよい。さらに、記憶部１３０は、属性データ１３４がコンテンツ１３２に関連付けて作成されたリストである再生予定リスト１３６を記憶してもよい。なお、再生予定リスト１３６の詳細については後述する。
【００６０】
＜操作部１４０の機能＞
操作部１４０は、入力装置１０８を介してユーザ入力された操作に応じて、当該操作に対応する入力信号を生成し、この入力信号を再生モード設定部１４２、再生対象設定部１４４、再生対象除外部１４６、再生部１５０に出力することにより、各操作の情報を前記各部に伝送する。この操作部１４０が伝送する操作の情報としては、例えば、再生モード設定部１４２に対しては、通常の再生モードまたはランダム再生モードの選択、再生対象設定部１４４に対しては、再生対象の設定（記憶部１３０に記憶されている全てのコンテンツ、記憶部１３０内の特定のフォルダに含まれるコンテンツ等の選択）、再生対象除外部１４６に対しては、再生対象から除外するコンテンツの選択（本実施形態の場合は、再生対象から除外するコンテンツに係る属性データの選択）、再生部１５０に対しては、再生するコンテンツの選択、選択したコンテンツの再生及び停止などがある。
【００６１】
＜再生モード設定部１４２の機能＞
再生モード設定部１４２は、操作部１４０から受け取ったユーザ入力信号に応じて、記憶部１３０に記憶された複数のコンテンツ１３２の再生方法を示す再生モードを設定する。具体的には、再生モード設定部１４２は、複数のコンテンツ１３２を通常の順序（例えば、音楽コンテンツの場合は、アルバムの収録曲の収録順、アーティスト名やアルバム名のアルファベット順、写真のような静止画コンテンツの場合は、撮影日時順など）で再生するノーマル再生モード、または、複数のコンテンツを順不同に（再生部１５０により決定されるランダムな順序で）再生するランダム再生モードのいずれかを選択して設定する。なお、ランダム再生モードには、大きく分けて以下の２つの種類が考えられる。
【００６２】
第１に、特定の属性データに基づいて、同一または類似の属性データを有する複数のコンテンツを、ユーザの意向に関わらず、ランダム再生対象として自動的に設定し、この自動的に設定されたランダム再生対象のコンテンツを再生する再生モードがある。このような再生モードとしては、例えば、再生回数という属性データに基づき、再生回数が所定回数以上のコンテンツ１３２をランダム再生対象として自動的に設定するランダム再生モードや、リリース年という属性データに基づき、ある特定の年に発売されたコンテンツ１３２をランダム再生対象として自動的に設定するランダム再生モードや、ジャンル名という属性データに基づき、再生中のコンテンツと同一または類似ジャンルのコンテンツをランダム再生対象として自動的に設定するランダム再生モード等が考えられる。
【００６３】
第２に、ランダム再生モードが選択されている場合に、所定のトラック、アルバム、アーティスト等の属性データがユーザ入力操作により選択されることで、ユーザの意向に沿った所定の再生範囲内のコンテンツを順不同に再生する再生モードがある。このような再生モードとしては、例えば、再生対象設定部１４４により「アーティストＡ」の「アルバムＸ」が選択決定され、「アルバムＸ」というフォルダ内に含まれる音楽コンテンツ（曲）を順不同に再生する再生モード等が考えられる。
【００６４】
＜再生対象設定部１４４の機能＞
再生対象設定部１４４は、記憶部１３０に記憶された複数のコンテンツ１３２の全部または一部を再生対象のコンテンツとして設定する。具体的には、再生対象設定部１４４は、記憶部１３０に記憶されている全てのコンテンツを再生対象として設定したり、あるいは、記憶部１３０内の特定のフォルダに含まれるコンテンツ（例えば、「アーティストＡ」の「アルバムＸ」が選択決定され、「アルバムＸ」というフォルダ内に含まれる音楽コンテンツ（曲））を再生対象として設定したりすることができる。この再生対象設定部１４４は、さらに、複数のフォルダに含まれるコンテンツを、ある特定の属性データ（例えば、ジャンル名、再生回数等）を指定し、この属性データと同一（または類似）の属性データを有するコンテンツを再生対象として設定したり、複数のコンテンツを個々に選択して再生対象として設定したりしてもよい。
【００６５】
＜再生対象除外部１４６の機能＞
再生対象除外部１４６は、再生対象設定部１４４により再生対象として設定されたコンテンツ１３２から選択された１または２以上のコンテンツを、コンテンツの属性データに基づいて、当該属性データごとに再生対象から除外する。具体的には、再生対象除外部１４６は、まず、再生対象設定部１４４により再生対象として設定されたコンテンツ１３２から、ユーザ入力操作により指定された属性データ（例えば、ジャンル名やアルバム名等）を、操作部１４０からの入力信号として受け取る。次いで、再生対象除外部１４６は、操作部１４０から受け取った入力信号に基づいて、ユーザ入力操作により指定された属性データと同一（または類似）の属性データを有するコンテンツを、再生対象から除外するコンテンツ（以下、「除外コンテンツ」と称する場合がある。）として、当該コンテンツに対し、再生対象から除外する旨のメタデータ（属性データ）を付加する。
【００６６】
このように、再生対象除外部１４６が、特定の属性データごとに再生対象から除外するコンテンツを設定することにより、ジャンルやアルバム等のまとまった単位ごとに、再生対象から除外するコンテンツ１３２を設定することができる。したがって、ユーザは、少ない入力操作で簡単に、再生対象から除外したいコンテンツを選択して機器に登録することができるので、ユーザ操作の煩雑さが解消される。また、このような簡単な操作により、ユーザは、例えばランダム再生で音楽コンテンツを視聴している場合に、語学学習のコンテンツやニュースなど、音楽というジャンルと全く異なるジャンルのコンテンツが再生されることがなく、ランダム再生による楽しみを満喫することができる。さらに、上記のような除外コンテンツの設定を、専用のアプリケーション（例えば、ジュークボックスソフトウェア）がインストールされた情報処理装置（ＰＣ）２０を利用して行う必要がなく、場所や時間を選ばずに、ユーザの都合に合わせて除外コンテンツの設定を行うことも可能となる。
【００６７】
なお、再生対象除外部１４６は、再生対象から除外したい１または２以上のコンテンツを、属性データごとではなく、個々のコンテンツごとに除外してもよい。しかし、ユーザの操作の煩雑さ等に鑑みると、上述したように、特定の属性データを指定して、ジャンルやアルバム等のある程度まとまった単位で、再生対象から除外するコンテンツを指定することが好ましい。
【００６８】
再生対象除外部１４６は、再生モード設定部１４２により、再生モードがランダム再生モードに設定された場合にのみ、操作部１４０により指定された属性データと同一（または類似）の属性データを有する１または２以上のコンテンツを再生対象から除外することもできる。上述したように、例えば、ランダム再生で音楽コンテンツを視聴している際に、語学学習のコンテンツやニュースなど、音楽と全く異なるジャンルのコンテンツが再生されると、音楽コンテンツを楽しんでいたユーザの気分を害してしまう場合等、再生対象から特定のコンテンツを除外する必要性はランダム再生中に起こることが多い。従って、この例のように、再生対象除外部１４６が特定のコンテンツを除外コンテンツとして設定することを、再生モードがランダム再生モードである場合のみとしてもよい。これにより、例えば、ノーマル再生モードにおいて、再生順どおりに再生したいというようなユーザの欲求を満たすことができる。
【００６９】
再生対象除外部１４６は、除外コンテンツのうちの１のコンテンツについての再生を指示する旨の再生指示信号が操作部１４０により生成され、当該信号を操作部１４０から受け取った場合には、例えば、以下の（１）〜（３）の処理を行うこともできる。
【００７０】
（１）再生対象除外部１４６は、再生が指示されたコンテンツの再生を再生部１５０に行わせずに、他のコンテンツを再生させるような指示信号を生成して再生部１５０に伝送する。
【００７１】
この場合に、再生部１５０に再生させるコンテンツとしては、再生対象となっているコンテンツの中から任意に選択された１のコンテンツとすることができ、例えば、再生対象となっているコンテンツのうちで、操作部１４０により再生指示がされた除外コンテンツの次に再生予定のコンテンツを再生部１５０に再生させることができる。あるいは、再生対象除外部１４６は、再生対象となっているコンテンツのうちで、操作部１４０により再生指示がされた除外コンテンツに隣接するコンテンツを再生部１５０に再生させてもよい。これにより、再生対象から除外されたコンテンツについて、ユーザの操作入力により再生指示がされた場合であっても、当該除外コンテンツの再生はせずに、他の再生対象となっているコンテンツを連続して再生することができる。
【００７２】
（２）再生対象除外部１４６は、再生が指示されたコンテンツが再生対象から除外されている旨の表示を表示部１６０に行わせる。
【００７３】
この場合、表示部１６０により、表示装置１１０の表示画面に、例えば「指定されたコンテンツは、再生対象から除外されています。」等のアラームを表示させ、ユーザに視認させることが可能となる。従って、ユーザは、自ら指定した除外コンテンツの内容を失念してしまっている場合であっても、誤って除外コンテンツを再生させるというようなことを防止することができる。
【００７４】
（３）再生対象除外部１４６は、再生が指示されたコンテンツを再生部１５０に再生させる。
【００７５】
たとえ、ユーザによる操作入力により特定のコンテンツが再生対象から除外されていた場合であっても、後になって、やはりそのコンテンツを視聴したくなる場合もあり得る。従って、このような場合は、再生対象除外部１４６は、ユーザの意思を尊重し、イレギュラーな場合として指定されたコンテンツを再生部１５０に再生させることができる。
【００７６】
このように、再生対象から除外されているにも関わらず指定されたコンテンツが再生された場合であって、再生されたコンテンツの他に１または２以上の除外コンテンツがある場合には、再生対象除外部１４６は、他の除外コンテンツについては再生部１５０に再生させないようにしてもよいし、他の除外コンテンツについても再生部１５０に再生させるようにしてもよい。
【００７７】
また、再生対象除外部１４６は、再生対象から除外した１または２以上のコンテンツデータについて、操作部１４０を介したユーザの操作入力による選択が不能となる表示（例えば、グレーアウト表示）を表示部１６０に表示させることもできる。このように、表示部１６０にグレーアウト表示をさせることにより、ユーザは、自ら指定した除外コンテンツの内容を失念してしまっている場合であっても、誤って除外コンテンツを再生させるというようなことを防止することができる。また、表示部１６０にグレーアウト表示させることにより、ユーザは、自らが指定した除外コンテンツの内容も知ることができる。
【００７８】
さらに、再生対象除外部１４６は、再生対象から除外した１または２以上のコンテンツデータについて、表示部１６０に表示させないようにすることもできる。これにより、グレーアウト表示した場合と同様、ユーザは、自ら指定した除外コンテンツの内容を失念してしまっている場合であっても、誤って除外コンテンツを再生させるというようなことを防止することができる。
【００７９】
再生対象除外部１４６は、再生モード設定部１４２により再生モードがランダム再生モードに設定され、かつ、再生対象設定部１４４により特定のフォルダ内のコンテンツが再生対象として設定された場合であって、この特定のフォルダが再生対象から除外したコンテンツのみを含む場合には、例えば、以下の（４）〜（６）の処理を行うこともできる。
【００８０】
（４）再生対象除外部１４６は、再生対象のコンテンツが含まれるフォルダの中から任意に選択されたフォルダ内のコンテンツを再生部１５０に再生させる。
【００８１】
この場合に、再生部１５０に再生させるコンテンツとしては、再生対象となっているコンテンツが含まれるフォルダの中から任意に選択された１のフォルダ内のコンテンツとすることができる。このようなコンテンツとしては、例えば、再生対象となっているフォルダのうちで、再生対象設定部１４４により設定されたフォルダに隣接するフォルダ内のコンテンツがある。これにより、再生対象から除外されたコンテンツのみを含むフォルダについて、再生対象設定部１４４により再生対象の設定要求がされた場合であっても、当該除外コンテンツのみを含むフォルダ内のコンテンツを再生対象とはせずに、他の再生対象となっているコンテンツを含むフォルダ内のコンテンツを再生対象とすることができる。
【００８２】
（５）再生対象除外部１４６は、再生対象として設定された特定のフォルダが再生対象から除外したコンテンツのみを含む旨を表示部１６０に表示させる。
【００８３】
この場合、表示部１６０により、表示装置１１０の表示画面に、例えば「指定されたフォルダは、再生対象から除外されたコンテンツのみを含むものです。」等のアラームを表示させ、ユーザに視認させることが可能となる。従って、ユーザは、自ら指定した除外コンテンツの内容を失念してしまっている場合であっても、誤って除外コンテンツのみを含むフォルダを再生対象とするというようなことを防止することができる。
【００８４】
（６）再生対象除外部１４６は、再生対象として設定された特定のフォルダ内のコンテンツを再生部１５０に再生させる。
【００８５】
たとえ、ユーザによる操作入力により特定のコンテンツが再生対象から除外されていた場合であっても、後になって、やはりそのコンテンツを視聴したくなる場合もあり得る。従って、このような場合は、再生対象除外部１４６は、ユーザの意思を尊重し、イレギュラーな場合として指定されたフォルダ内のコンテンツを再生部１５０に再生させることができる。
【００８６】
再生対象除外部１４６は、再生モード設定部１４２により特定の再生モードが設定され、再生対象設定部１４４により特定範囲のコンテンツが再生対象として設定された場合にのみ、除外コンテンツを再生対象から除外するようにすることもできる。具体的には、再生対象除外部１４６は、例えば、再生モード設定部１４２により再生モードとしてランダム再生モードが設定され、再生対象設定部１４４により「再生回数」が所定回数以上のコンテンツを再生対象として指定された場合にのみ、除外コンテンツを再生対象から除外するというようにすることもできる。
【００８７】
再生対象除外部１４６は、再生装置１０が、情報処理装置２０やコンテンツ及びその属性データを記録及び転送可能な他の機器に接続された際に、再生対象から除外したコンテンツに関する情報（どのコンテンツが再生対象から除外されているのか、または、どのような属性データ等が再生対象から除外する条件となっているのか、等の情報）を、情報処理装置２０やその他の機器に送信することもできる。
【００８８】
一方、再生対象から除外するコンテンツが、属性データ等の条件（例えば、アルバム名、アーティスト名、ジャンル名、評価値等）により指定されている場合は、その条件を指定した際に、再生装置１０の記憶部１３０に記憶されていなかったコンテンツが新たに情報処理装置２０等から転送されてきた際に、転送されてきたコンテンツが再生対象となるのか、あるいは再生対象から除外されているのかという情報を更新する必要がある。このような情報の更新が行われるトリガーとしては、再生装置１０において操作部１４０を介してユーザによる所定の操作（新しく転送されてきたコンテンツのアップデート要求）入力があった際、再生装置１０が休止状態に入った際、再生装置１０と情報処理装置２０等との接続が切断された際等、各種考えることができる。
【００８９】
＜再生部１５０の機能＞
再生部１５０は、再生対象設定部１４４により再生対象として設定されたコンテンツ１３２から、再生対象除外部１４６により再生対象から除外されたコンテンツ１３２を除外した残りのコンテンツ１３２を再生する。
【００９０】
ここで、図４を参照しながら、再生部１５０の構成について詳細に説明する。図４は、本実施形態にかかる再生部１５０の構成を示すブロック図である。なお、図４においては、説明の便宜上、再生部１５０以外との情報のやり取りを示す矢印は省略している。
【００９１】
図４に示すように、再生部１５０は、例えば、再生予定リスト作成部１５２と、コンテンツ再生部１５４とを有する。
【００９２】
再生予定リスト作成部１５２は、再生対象設定部１４４により設定された再生対象のコンテンツに関する情報と、再生対象除外部１４６により除外された１または２以上のコンテンツに関する情報とを受け取って、これらの情報に基づいて再生対象となるコンテンツの再生予定リスト１３６を作成する。再生予定リスト１３６の作成方法の詳細については後述するが、この再生予定リスト１３６は、コンテンツにその属性データ（例えば、ファイル名、アーティスト名、アルバム名、評価値等）が関連づけて記録されたリストである。
【００９３】
再生予定リスト作成部１５２は、作成した再生予定リスト１３６をコンテンツ再生部１５４に伝送する。また、再生予定リスト作成部１５２は、作成した再生予定リスト１３６を記憶部１３０に伝送し、記憶部１３０に再生予定リスト１３６を記憶させることもできる。さらに、再生予定リスト作成部１５２は、作成した再生予定リスト１３６を表示部１６０に表示させてもよい。この再生予定リスト１３６の更新は、例えば、再生部１５０がコンテンツを再生する度ごとに行うことができる。
【００９４】
また、再生予定リスト作成部１５２は、再生対象設定部１４４が、再生対象除外部１４６により再生対象から除外された属性データを有する複数のコンテンツの集合を再生対象として設定した場合には、再生予定リスト作成部１５２は、再生対象除外部１４６が除外したコンテンツを再生対象から除外せずに再生予定リスト１３６を作成することもできる。これは、例えば、除外するコンテンツの条件として、「英会話」というジャンル名の属性データが指定されていた場合などに有効である。具体的な処理としては、まず、例えば、再生モードとしてランダム再生モードが選択され、再生対象として記憶部１３０が記憶している全てのコンテンツ、あるいは「アーティストＡ」の「アルバムＸ」のフォルダが設定されている場合には、「英会話」のジャンルに属するコンテンツは再生されない方が良いので、再生予定リスト作成部１５２は、当該「英会話」のジャンルに属するコンテンツを再生対象から除外して再生予定リスト１３６を作成することができる。一方、再生モードとしてランダム再生モードが選択され、再生対象として、「英会話」のジャンルに属するコンテンツを含むフォルダが設定されている場合には、「英会話」のコンテンツを再生させた方が良いので、再生予定リスト作成部１５２は、当該「英会話」のジャンルに属するコンテンツを再生対象から除外せずに再生予定リスト１３６を作成することができる。
【００９５】
コンテンツ再生部１５４は、記憶部１３０に記憶されているコンテンツを再生する機能を有し、再生予定リスト作成部１５２により作成されたコンテンツの再生予定リスト１３６に基づいて、再生予定リスト１３６に含まれるコンテンツを再生する。このコンテンツ再生部１５４は，操作部１４０から再生操作の情報を取得し，取得した再生操作の情報に基づいて，コンテンツに対する処理を行う。コンテンツ再生部１５４が行うコンテンツに対する処理には，コンテンツの再生，再生中のコンテンツの早送り，再生中のコンテンツの巻き戻し，再生中のコンテンツの再生停止などが含まれる。
【００９６】
＜表示部１６０の機能＞
再び図３を参照すると、表示部１６０は、コンテンツが静止画や動画のコンテンツの場合には、その画像や映像を表示装置１１０に表示させる。また、再生部１５０が送出する各種情報を表示装置１１０に表示させる。さらに、再生対象除外部１４６が、操作部１４０から再生対象外となっているコンテンツの再生指示を受信した場合には、当該コンテンツが再生対象から除外されている旨の表示や、当該コンテンツをグレーアウトする表示を表示装置１１０に行わせることができる。
【００９７】
（再生装置１０におけるコンテンツの再生方法の基本的な流れ）
以上、再生装置１０の構成について説明したが、以下、図５に基づいて、このような構成を有する再生装置１０におけるコンテンツの再生方法の基本的な流れについて説明する。なお、図５は、本実施形態にかかる再生装置１０におけるコンテンツの再生方法を概略的に示すフローチャートである。
【００９８】
図５に示すように、まず、再生モード設定部１４２が再生モードを設定する（Ｓ１０２）。このとき設定される再生モードとしては、様々なものが考えられるが、大きく分けて、上述したノーマル再生モードとランダム再生モードとがある。また、ランダム再生モードには、例えば、（１）特定の属性データに基づいて、同一または類似の属性データを有する複数のコンテンツを、ユーザの意向に関わらず、ランダム再生対象として自動的に設定し、この自動的に設定されたランダム再生対象のコンテンツを再生する再生モード、及び（２）ランダム再生モードが選択されている場合に、所定のトラック、アルバム、アーティスト等の属性データがユーザ入力操作により選択されることで、ユーザの意向に沿った所定の再生範囲内のコンテンツを順不同に再生する再生モードがある。
【００９９】
次いで、再生対象設定部１４４が再生対象のコンテンツ（コンテンツの再生範囲）を設定する（Ｓ１０４）。具体的には、再生対象設定部１４４は、記憶部１３０に記憶された複数のコンテンツの全部または一部を再生対象のコンテンツとして設定する。このとき設定されるコンテンツの再生範囲としては、例えば、記憶部１３０に記憶されている全てのコンテンツ、特定の属性データを有するコンテンツの集合、特定のフォルダ内のコンテンツ等、様々な場合が考えられ、特に限定はされない。
【０１００】
次に、再生対象除外部１４６は、操作部１４０を介して再生対象から除外するコンテンツ（除外コンテンツ）の設定要求の入力があったか否かを判断し（Ｓ１０６）、当該要求があったと判断された場合には、その要求に基いて、再生対象から除外するコンテンツ（除外コンテンツ）を設定する（Ｓ１０８）。この除外コンテンツの設定は、操作部１４０から入力された特定の属性データに基づいて、当該属性データごとに行われる。すなわち、再生対象から除外されるコンテンツは、特定の属性データと同一または類似する属性データを有するコンテンツの集合というまとまった単位ごとに設定される。一方、ステップＳ１０８の判断で、再生対象除外部１４６が除外コンテンツの設定要求がないと判断した場合には、待機状態となる。このステップＳ１０８の判断は、所定時間ごとに定期的に行ってもよく、ユーザによる所定の操作入力が操作部１４０を介してあった場合に行ってもよい。
【０１０１】
次に、ステップＳ１０４で設定された再生対象のコンテンツに関する情報、ステップＳ１０８で設定された除外コンテンツに関する情報とに基づいて、再生予定リスト作成部１５２が、再生するコンテンツの再生予定リストを作成する（Ｓ１１０）。再生予定リスト作成部１５２は、作成した再生予定リストを記憶部１３０に記憶させてもよく、コンテンツ再生部１５４に伝送してもよい。
【０１０２】
その後、コンテンツ再生部１５４が再生予定リストに含まれるコンテンツの再生指示を操作部１４０から受信したか否かを判断する（Ｓ１１２）。この判断の結果、再生指示があると判断された場合には、再生部１５０のコンテンツ再生部１５４は、ステップＳ１１０で作成された再生予定リストに基づいて、当該再生予定リストに含まれるコンテンツを再生する（Ｓ１１４）。一方、ステップＳ１１２の判断の結果、再生指示がないと判断された場合には、待機状態となる。
【０１０３】
（コンテンツ再生時のＵＩ表示）
以上、再生装置１０におけるコンテンツの再生方法の基本的な流れについて説明したが、以下、図６〜１２に基づいて、上述したコンテンツ再生方法における処理の際のＵＩ（Ｕｓｅｒ  Ｉｎｔｅｒｆａｃｅ）表示の例について説明する。
【０１０４】
初めに、図６〜図９を参照しながら、第１の設定例を、音楽コンテンツを例に挙げて、コンテンツ再生方法における処理の際のＵＩ表示の例を説明する。図６〜図８は、本実施形態の第１の設定例にかかるコンテンツ再生方法における除外コンテンツの設定画面を示す説明図であり、図９は、除外コンテンツの設定後の再生予定リストの例を示す説明図である。
【０１０５】
第１の設定例は、音楽コンテンツをランダム再生モードで再生している際に、語学学習や落語のコンテンツが再生されると、ユーザの気分が害される場合があり、そのような場合に、予め再生装置１０において、語学学習や落語のコンテンツを再生対象から除外する処理を行う例である。
【０１０６】
図６の左図に示すように、ユーザは、まず、再生装置の表示装置１１０の「ホームメニュー画面１１０−１」が表示されている状態で、「各種設定１１０ａ」の欄を選択する。すると、各種設定１１０ａが選択された旨の入力信号が操作部１４０により生成され、この信号が再生対象除外部１４６に伝送され、図６の中図に示すように、表示装置１１０に「各種設定画面１１０−２」が表示される。次に、ユーザが「音楽設定１１０ｂ」の欄を選択すると、その旨の入力信号が操作部１４０から再生対象除外部１４６に伝送され、図６の右図に示すように、表示装置１１０に「音楽設定画面１１０−３」が表示される。次に、ユーザが「全曲シャッフルから外す１１０ｃ」の欄を選択すると、操作部１４０により、再生モードとしてランダム再生モードが選択され、再生対象として記憶部１３０に記憶された全ての音楽コンテンツ（曲）が設定されている場合（全曲シャッフル）に、再生対象から除外するコンテンツをこれから設定する旨の入力信号が生成され、この信号が再生対象除外部１４６に伝送される。
【０１０７】
すると、図７の左図に示すように、「全曲シャッフルから外す画面１１０−４」が表示装置１１０に表示される。本実施形態では、全曲シャッフルの再生対象から除外するための条件として、例えば、「再生予定リスト」、「全曲」という条件の他に、「アルバム」、「アーティスト」、「ジャンル」、「★評価（コンテンツのユーザ評価を★の数により表示）」、「リリース年」、「最近転送したアルバム」等のコンテンツの属性データが挙げられている。ユーザは、この「全曲シャッフルから外す画面１１０−４」において、全曲シャッフルから外したいグループがある条件を選択する。この例の場合は、ユーザは、「ジャンル１１０ｄ」の欄を選択する。すると、「ジャンルボタン１１０ｄ」を選択した旨の入力信号が操作部１４０から再生対象除外部１４６に伝送され、図７の中図に示すように、表示装置１１０に「ジャンル画面１１０−５」が表示される。この「ジャンル画面１１０−５」においては、例えば、「Ｊポップ」、「ジャズ」等の音楽ジャンル名や、「語学学習」、「落語」というジャンル名が例として挙げられている。ユーザは、「ジャンル画面１１０−５」において、全曲シャッフルから外したいグループを選択する。この例の場合は、ユーザは、「語学学習１１０ｅ」の欄と「落語」の欄を選択する。すると、操作部１４０から再生対象除外部１４６に「語学学習１１０ｅ」の欄と「落語」の欄を選択した旨の入力信号が伝送される。次に、図７の右図に示すように、ユーザは、「ジャンル画面１１０−５」において、全曲シャッフルから外したいグループを全て選択した後、「閉じる１１０ｆ」の欄を選択することにより、除外コンテンツの設定画面を終了する。すると、操作部１４０から再生対象除外部１４６に、除外コンテンツの設定処理の終了を指示する旨の入力信号が伝送され、再生対象除外部１４６は、除外コンテンツの設定処理を終了する。
【０１０８】
また、ユーザは、さらに別の条件で全曲シャッフルから外したいグループがある条件がある場合には、図８の左図に示すように、再び「全曲シャッフルから外す画面１１０−４」に戻り、この画面において、他の条件を選択する。この例の場合は、ユーザは「★評価１１０ｇ」の欄を選択する。すると、「★評価１１０ｇ」の欄を選択した旨の入力信号が操作部１４０から再生対象除外部１４６に伝送され、図８の中図に示すように、表示装置１１０に「★評価画面１１０−７」が表示される。この「★評価画面１１０−７」においては、例えば、★の数が１〜５個のものが表示されており、この★の数が多いほどユーザ評価が高いということになる。ユーザは、「★評価画面１１０−７」において、全曲シャッフルから外したいグループを選択する。この例の場合は、ユーザは、評価の低い「★★（★２個）１１０ｈ」の欄と「★（★１個）」の欄を選択する。すると、操作部１４０から再生対象除外部１４６に「★★１１０ｈ」の欄と「★」の欄を選択した旨の入力信号が伝送される。次に、図８の右図に示すように、ユーザは、「★評価画面１１０−７」において、全曲シャッフルから外したいグループを全て選択した後、「閉じる１１０ｉ」の欄を選択することにより、除外コンテンツの設定画面を終了する。すると、操作部１４０から再生対象除外部１４６に、除外コンテンツの設定処理の終了を指示する旨の入力信号が伝送され、再生対象除外部１４６は、除外コンテンツの設定処理を終了する。
【０１０９】
以上説明したような除外コンテンツの設定処理の結果、再生装置１０の再生予定リスト作成部１５２により、図９に示すような再生予定リスト１３６−１が作成される。この再生予定リスト１３６−１においては、曲番（コンテンツＩＤに該当する）を有するそれぞれのコンテンツに関連づけて、曲名、アルバム名、アーティスト名、ジャンル名、評価値等の属性データが記録されている。
【０１１０】
また、各属性データには、その属性データを指定して再生対象から除外されているかどうかを示す付加データ（この例の場合は、全曲シャッフル再生の場合に再生対象から除外されているかどうかを示す付加データ（以下、「シャッフル除外データ」と称する。）も、それぞれの属性データに関連づけて記録されている。具体的には、この例の場合には、上述した除外コンテンツの設定処理において、まず、ジャンルとして「英会話」と「落語」について全曲シャッフルの再生対象から除外する設定がされたので、再生予定リスト作成部１５２は、「英会話」と「落語」に対応するシャッフル除外データの欄に１を立てる。また、続いて行った除外コンテンツの設定処理により、評価値が「★★」のものと「★」のものについて全曲シャッフルの再生対象から除外する設定がされたので、再生予定リスト作成部１５２は、「★★」と「★」に対応するシャッフル除外データの欄に１を立てる。
【０１１１】
このように、各属性データごとに対応付けられた複数のシャッフル除外データのいずれかに１のフラグが立てられていると、再生部１５０は、全曲シャッフル再生の際に、再生対象（候補）から除外してコンテンツの再生を行う。この例の場合は、再生部１５０は、曲番２、３、４、５のコンテンツのみを再生することになる。
【０１１２】
次に、図１０〜図１２を参照しながら、第２の設定例を、静止画（写真）コンテンツを例に挙げて、コンテンツ再生方法における処理の際のＵＩ表示の例を説明する。図１０〜図１２は、本実施形態の第２の設定例にかかるコンテンツ再生方法における除外コンテンツの設定画面を示す説明図であり、図９は、除外コンテンツの設定後の再生予定リストの例を示す説明図である。
【０１１３】
第２の設定例は、写真コンテンツを連続再生するスライドショー再生で再生を行う場合に、例えば、家族写真で、家族以外には見せたくない寝起きの写真や、水着の写真等、見せたくない写真がある場合があり、そのような場合に、予め再生装置１０において、このような見せたくない写真のコンテンツを再生対象から除外する処理を行う例である。
【０１１４】
図１０の左図に示すように、ユーザは、まず、再生装置の表示装置１１０の「ホームメニュー画面１１０−１」が表示されている状態で、「各種設定１１０ａ」の欄を選択する。すると、各種設定１１０ａが選択された旨の入力信号が操作部１４０により生成され、この信号が再生対象除外部１４６に伝送され、図１０の中図に示すように、表示装置１１０に「各種設定画面１１０−２」が表示される。次に、ユーザが「フォト設定１１０ｊ」の欄を選択すると、その旨の入力信号が操作部１４０から再生対象除外部１４６に伝送され、図１０の右図に示すように、表示装置１１０に「フォト設定画面１１０−８」が表示される。次に、ユーザが「スライドショーから外す１１０ｋ」の欄を選択すると、操作部１４０により、再生モードとしてスライドショー再生モードが選択されている場合に、再生対象から除外するコンテンツをこれから設定する旨の入力信号が生成され、この信号が再生対象除外部１４６に伝送される。
【０１１５】
すると、図１１の左図に示すように、「スライドショーから外す画面１１０−９」が表示装置１１０に表示される。本実施形態では、スライドショーの再生対象から除外するための条件として、例えば、「誕生会フォルダ」、「沖縄旅行フォルダ」、「卒業式フォルダ」、「春のピクニックフォルダ」等のコンテンツの属性データ（フォルダ名称）が挙げられている。ユーザは、この「スライドショーから外す画面１１０−９」において、スライドショーから外したいグループがある条件を選択する。この例の場合は、ユーザは、「沖縄旅行フォルダ１１０ｍ」を選択する。すると、「沖縄旅行フォルダ１１０ｍ」を選択した旨の入力信号が操作部１４０から再生対象除外部１４６に伝送され、図１１の中図に示すように、表示装置１１０に「沖縄旅行フォルダ」の内容が表示される（表示画面１１０−１０）。この「沖縄旅行フォルダ」においては、例えば、写真Ａから写真Ｈのサムネイル画像が表示されている。ユーザは、表示画面１１０−１０において、スライドショーから外したい写真を選択する。この例の場合は、ユーザは、スライドショーで見せたくない「写真Ａ」、「写真Ｅ」、「写真Ｈ」を選択する。すると、操作部１４０から再生対象除外部１４６に「写真Ａ」、「写真Ｅ」及び「写真Ｈ」を選択した旨の入力信号が伝送される。次に、図１１の右図に示すように、ユーザは、表示画面１１０−１０において、スライドショーから外したい写真を全て選択した後、「閉じる１１０ｐ」の欄を選択することにより、除外コンテンツの設定画面を終了する。すると、操作部１４０から再生対象除外部１４６に、除外コンテンツの設定処理の終了を指示する旨の入力信号が伝送され、再生対象除外部１４６は、除外コンテンツの設定処理を終了する。
【０１１６】
以上説明したような除外コンテンツの設定処理の結果、再生装置１０の再生予定リスト作成部１５２により、図１２に示すような再生予定リスト１３６−２が作成される。この再生予定リスト１３６−２においては、ファイル名Ａ〜Ｎを有するコンテンツに関連づけて、スライドショー除外データ（スライドショーの再生対象から除外するか否かを示す付加データ）と属性データとしてフォルダ名とが記録されている。この例の場合には、上述した除外コンテンツの設定処理において、「沖縄旅行」フォルダにおいて、「写真Ａ」、「写真Ｅ」及び「写真Ｈ」についてスライドショーの再生対象から除外する設定がされたので、再生予定リスト作成部１５２は、「写真Ａ」、「写真Ｅ」及び「写真Ｈ」に対応するスライドショー除外データの欄に１を立てる。
【０１１７】
このように、各属性データごとに対応付けられた複数のシャッフル除外データのいずれかに１のフラグが立てられていると、再生部１５０は、全曲シャッフル再生の際に、再生対象（候補）から除外してコンテンツの再生を行う。この例の場合は、「沖縄旅行」のスライドショーを実行すると、再生部１５０は、「写真Ｂ」と「写真Ｃ」と「写真Ｄ」と「写真Ｆ」と「写真Ｇ」のみをスライドショー再生することになる。
【０１１８】
（再生装置１０におけるコンテンツの再生方法の第１変更例）
次に、図１３に基づいて、本実施形態にかかる再生装置１０におけるコンテンツの再生方法の第１変更例について説明する。なお、図１３は、本実施形態の第１変更例にかかるコンテンツの再生方法を示すフローチャートである。
【０１１９】
本変更例は、再生対象からのコンテンツの除外が、再生モードとしてランダム再生モードが選択されている場合にのみ行われる場合の例である。
【０１２０】
図１３に示すように、まず、再生装置１０の再生予定リスト作成部１５２は、操作部１４０によりランダム再生の再生予定リストの作成指示が入力された否かを判断する（Ｓ１２２）。この判断の結果、ランダム再生の再生予定リストの作成指示が入力されていないと判断された場合には、待機状態となる。一方、ステップＳ１２２の判断の結果、ランダム再生の再生予定リストの作成指示が入力されたと判断された場合には、再生予定リスト作成部１５２は、ランダム再生対象から除外されたコンテンツを省いた中からコンテンツを選択して再生予定リストを作成する（Ｓ１２４）。
【０１２１】
次に、再生装置１０のコンテンツ再生部１５４は、操作部１４０からコンテンツの再生指示を受け取ったか否かを判断する（Ｓ１２６）。この判断の結果、操作部１４０からコンテンツの再生指示を受け取っていないと判断された場合には、待機状態となる。一方、ステップＳ１２６の判断の結果、操作部１４０からコンテンツの再生指示を受け取ったと判断された場合には、コンテンツ再生部１５４は、再生予定リスト作成部１５２により作成された再生予定リストに基づいてコンテンツの再生を行う（Ｓ１２８）。
【０１２２】
（再生装置１０におけるコンテンツの再生方法の第２変更例）
次に、図１４に基づいて、本実施形態にかかる再生装置１０におけるコンテンツの再生方法の第２変更例について説明する。なお、図１４は、本実施形態の第２変更例にかかるコンテンツの再生方法を示すフローチャートである。
【０１２３】
本変更例は、再生対象除外部１４６により再生対象から除外する設定が行われたコンテンツに対し、操作部１４０を介して当該コンテンツの再生指示がなされた場合の処理の例である。
【０１２４】
図１４に示すように、まず、再生装置１０の再生対象除外部１４６は、再生モードがランダム再生モードか否かを判断する（Ｓ１３２）。この判断の結果、再生モードがランダム再生モードでないと判断された場合には、待機状態となる。一方、ステップＳ１３２の判断の結果、再生モードがランダム再生モードであると判断された場合には、再生対象除外部１４６は、次に、操作部１４０からランダム再生対象外のコンテンツの再生指示を受け取ったか否かを判断する（Ｓ１３４）。この判断の結果、操作部１４０からランダム再生対象外のコンテンツの再生指示を受け取っていないと判断された場合には、待機状態となる。一方、ステップＳ１３４の判断の結果、操作部１４０からランダム再生対象外のコンテンツの再生指示を受け取ったと判断された場合には、再生対象除外部１４６は、ランダム再生対象外のコンテンツに隣接する再生対象コンテンツを検索する（Ｓ１３６）。本ステップにおいては、当該隣接する再生対象コンテンツが検出されない場合には、さらに隣接するコンテンツに再生対象コンテンツがないか検索する。このようにして、再生対象コンテンツが検出された場合には、再生対象除外部１４６は、再生部１５０に対し、最初に検出された再生対象コンテンツの再生を行わせる（Ｓ１３８）。
【０１２５】
（再生装置１０におけるコンテンツの再生方法の第３変更例）
次に、図１５に基づいて、本実施形態にかかる再生装置１０におけるコンテンツの再生方法の第３変更例について説明する。なお、図１５は、本実施形態の第３変更例にかかるコンテンツの再生方法を示すフローチャートである。
【０１２６】
本変更例は、再生対象除外部１４６により再生対象から除外する設定が行われたコンテンツに対し、操作部１４０を介して当該コンテンツの再生指示がなされた場合の処理の例であり、第２変更例とは、ランダム再生対象外のコンテンツの再生指示があった場合の処理が異なる。
【０１２７】
図１５に示すように、まず、再生装置１０の再生対象除外部１４６は、再生モードがランダム再生モードか否かを判断する（Ｓ１４２）。この判断の結果、再生モードがランダム再生モードでないと判断された場合には、待機状態となる。一方、ステップＳ１４２の判断の結果、再生モードがランダム再生モードであると判断された場合には、再生対象除外部１４６は、次に、操作部１４０からランダム再生対象外のコンテンツの再生指示を受け取ったか否かを判断する（Ｓ１４４）。この判断の結果、操作部１４０からランダム再生対象外のコンテンツの再生指示を受け取っていないと判断された場合には、待機状態となる。一方、ステップＳ１４４の判断の結果、操作部１４０からランダム再生対象外のコンテンツの再生指示を受け取ったと判断された場合には、再生対象除外部１４６は、操作部１４０により指定されたコンテンツはランダム再生対象外のコンテンツである旨を表示部１６０に表示させる（Ｓ１４６）。
【０１２８】
（再生装置１０におけるコンテンツの再生方法の第４変更例）
次に、図１６に基づいて、本実施形態にかかる再生装置１０におけるコンテンツの再生方法の第４変更例について説明する。なお、図１６は、本実施形態の第４変更例にかかるコンテンツの再生方法を示すフローチャートである。
【０１２９】
本変更例は、再生対象除外部１４６により再生対象から除外する設定が行われたコンテンツに対し、操作部１４０を介して当該コンテンツの再生指示がなされた場合の処理の例であり、第２変更例及び第３変更例とは、ランダム再生対象外のコンテンツの再生指示があった場合の処理が異なる。
【０１３０】
図１６に示すように、まず、再生装置１０の再生対象除外部１４６は、再生モードがランダム再生モードか否かを判断する（Ｓ１５２）。この判断の結果、再生モードがランダム再生モードでないと判断された場合には、待機状態となる。一方、ステップＳ１５２の判断の結果、再生モードがランダム再生モードであると判断された場合には、再生対象除外部１４６は、次に、操作部１４０からランダム再生対象外のコンテンツの再生指示を受け取ったか否かを判断する（Ｓ１５４）。この判断の結果、操作部１４０からランダム再生対象外のコンテンツの再生指示を受け取っていないと判断された場合には、待機状態となる。一方、ステップＳ１５４の判断の結果、操作部１４０からランダム再生対象外のコンテンツの再生指示を受け取ったと判断された場合には、再生対象除外部１４６は、操作部１４０により指定されたコンテンツを再生部１５０に再生させる（Ｓ１５６）。
【０１３１】
この場合には、さらに他のランダム再生対象外のコンテンツがある場合には、当該他のランダム再生対象外のコンテンツを再生部１５０に再生させる（Ｓ１５８）。なお、この例の場合は、他のランダム再生対象外のコンテンツを再生させることとしたが、当該他のランダム再生対象外のコンテンツを再生部１５０に再生させないという処理もあり得る。
【０１３２】
（再生装置１０におけるコンテンツの再生方法の第５変更例）
次に、図１７に基づいて、本実施形態にかかる再生装置１０におけるコンテンツの再生方法の第５変更例について説明する。なお、図１７は、本実施形態の第５変更例にかかるコンテンツの再生方法を示すフローチャートである。
【０１３３】
本変更例は、再生対象除外部１４６により再生対象から除外する設定が行われたコンテンツに対し、再生モードがランダム再生モードである場合の処理の例である。
【０１３４】
図１７に示すように、まず、再生装置１０の再生対象除外部１４６は、再生モードがランダム再生モードか否かを判断する（Ｓ１６２）。この判断の結果、再生モードがランダム再生モードでないと判断された場合には、待機状態となる。一方、ステップＳ１６２の判断の結果、再生モードがランダム再生モードであると判断された場合には、再生対象除外部１４６は、表示部１６０に、ランダム再生対象外のコンテンツをグレーアウト表示させる（Ｓ１４４）。なお、この場合に、ランダム再生対象外のコンテンツをグレーアウト表示させるのではなく、単に、表示部１６０に表示させないようにしてもよい。
【０１３５】
（再生装置１０におけるコンテンツの再生方法の第６変更例）
次に、図１８に基づいて、本実施形態にかかる再生装置１０におけるコンテンツの再生方法の第６変更例について説明する。なお、図１８は、本実施形態の第６変更例にかかるコンテンツの再生方法を示すフローチャートである。
【０１３６】
本変更例は、再生対象除外部１４６により再生対象から除外する設定が行われた除外コンテンツに対し、操作部１４０を介して除外コンテンツのみを含むフォルダ内のコンテンツ再生指示がなされた場合の処理の例である。
【０１３７】
図１８に示すように、まず、再生装置１０の再生対象除外部１４６は、再生モードがランダム再生モードである場合において、そのランダム再生モードが特定のフォルダを再生対象として指定したランダム再生モード（フォルダ内ランダム再生モード）か否かを判断する（Ｓ１７２）。この判断の結果、ランダム再生モードがフォルダ内ランダム再生モードでないと判断された場合には、待機状態となる。一方、ステップＳ１７２の判断の結果、ランダム再生モードがフォルダ内ランダム再生モードであると判断された場合には、再生対象除外部１４６は、次に、操作部１４０からランダム再生対象外のフォルダ内のコンテンツの再生指示を受け取ったか否かを判断する（Ｓ１７４）。この判断の結果、操作部１４０からランダム再生対象外のフォルダ内のコンテンツの再生指示を受け取っていないと判断された場合には、待機状態となる。一方、ステップＳ１７４の判断の結果、操作部１４０からランダム再生対象外のフォルダ内のコンテンツの再生指示を受け取ったと判断された場合には、再生対象除外部１４６は、ランダム再生対象外のフォルダに隣接する再生対象コンテンツを含むフォルダを検索する（Ｓ１７６）。本ステップにおいては、当該隣接する再生対象コンテンツを含むフォルダが検出されない場合には、さらに隣接するフォルダに再生対象コンテンツを含むフォルダがないか検索する。このようにして、再生対象コンテンツを含むフォルダが検出された場合には、再生対象除外部１４６は、再生部１５０に対し、最初に検出された再生対象コンテンツを含むフォルダ内のコンテンツの再生を行わせる（Ｓ１７８）。
【０１３８】
（再生装置１０におけるコンテンツの再生方法の第７変更例）
次に、図１９に基づいて、本実施形態にかかる再生装置１０におけるコンテンツの再生方法の第７変更例について説明する。なお、図１９は、本実施形態の第７変更例にかかるコンテンツの再生方法を示すフローチャートである。
【０１３９】
本変更例は、再生対象除外部１４６により再生対象から除外する設定が行われた除外コンテンツに対し、操作部１４０を介して除外コンテンツのみを含むフォルダ内のコンテンツ再生指示がなされた場合の処理の例であり、第６変更例とは、除外コンテンツのみを含むフォルダ内のコンテンツ再生指示がなされた場合の処理が異なる。
【０１４０】
図１９に示すように、まず、再生装置１０の再生対象除外部１４６は、再生モードがランダム再生モードである場合において、そのランダム再生モードが特定のフォルダを再生対象として指定したランダム再生モード（フォルダ内ランダム再生モード）か否かを判断する（Ｓ１８２）。この判断の結果、ランダム再生モードがフォルダ内ランダム再生モードでないと判断された場合には、待機状態となる。一方、ステップＳ１８２の判断の結果、ランダム再生モードがフォルダ内ランダム再生モードであると判断された場合には、再生対象除外部１４６は、次に、操作部１４０からランダム再生対象外のコンテンツのみを含むフォルダ内のコンテンツの再生指示を受け取ったか否かを判断する（Ｓ１８４）。この判断の結果、操作部１４０からランダム再生対象外のコンテンツのみを含むフォルダ内のコンテンツの再生指示を受け取っていないと判断された場合には、待機状態となる。一方、ステップＳ１８４の判断の結果、操作部１４０からランダム再生対象外のコンテンツのみを含むフォルダ内のコンテンツの再生指示を受け取ったと判断された場合には、再生対象除外部１４６は、操作部１４０により指定されたコンテンツはランダム再生対象外のコンテンツのみを含むフォルダ内のコンテンツである旨を表示部１６０に表示させる（Ｓ１８６）。
【０１４１】
（再生装置１０におけるコンテンツの再生方法の第８変更例）
次に、図２０に基づいて、本実施形態にかかる再生装置１０におけるコンテンツの再生方法の第８変更例について説明する。なお、図２０は、本実施形態の第８変更例にかかるコンテンツの再生方法を示すフローチャートである。
【０１４２】
本変更例は、再生対象除外部１４６により再生対象から除外する設定が行われた除外コンテンツに対し、操作部１４０を介して除外コンテンツのみを含むフォルダ内のコンテンツ再生指示がなされた場合の処理の例であり、第６変更例及び第７変更例とは、除外コンテンツのみを含むフォルダ内のコンテンツ再生指示がなされた場合の処理が異なる。
【０１４３】
図２０に示すように、まず、再生装置１０の再生対象除外部１４６は、再生モードがランダム再生モードである場合において、そのランダム再生モードが特定のフォルダを再生対象として指定したランダム再生モード（フォルダ内ランダム再生モード）か否かを判断する（Ｓ１９２）。この判断の結果、ランダム再生モードがフォルダ内ランダム再生モードでないと判断された場合には、待機状態となる。一方、ステップＳ１９２の判断の結果、ランダム再生モードがフォルダ内ランダム再生モードであると判断された場合には、再生対象除外部１４６は、次に、操作部１４０からランダム再生対象外のコンテンツのみを含むフォルダ内のコンテンツの再生指示を受け取ったか否かを判断する（Ｓ１９４）。この判断の結果、操作部１４０からランダム再生対象外のコンテンツのみを含むフォルダ内のコンテンツの再生指示を受け取っていないと判断された場合には、待機状態となる。一方、ステップＳ１９４の判断の結果、操作部１４０からランダム再生対象外のコンテンツのみを含むフォルダ内のコンテンツの再生指示を受け取ったと判断された場合には、再生対象除外部１４６は、操作部１４０により指定されたコンテンツを再生部１５０に再生させる（Ｓ１９６）。
【０１４４】
この場合には、さらに、当該指定されたコンテンツを含むフォルダ内の他のコンテンツを再生部１５０に再生させる（Ｓ１９８）。なお、この例の場合は、指定されたコンテンツを含むフォルダ内の他のコンテンツを再生部１５０に再生させることとしたが、指定されたコンテンツを含むフォルダ内の他のコンテンツを再生部１５０に再生させないという処理もあり得る。
【０１４５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１４６】
【図１】本発明の第１の実施形態にかかる通信システム全体構成を示す説明図である。
【図２】同実施形態にかかる再生装置のハードウェア構成の例を示すブロック図である。
【図３】同実施形態にかかる再生装置の機能構成を示すブロック図である。
【図４】同実施形態にかかる再生部の構成を示すブロック図である。
【図５】同実施形態にかかる再生装置におけるコンテンツの再生方法を概略的に示すフローチャートである。
【図６】同実施形態の第１の設定例にかかるコンテンツ再生方法における除外コンテンツの設定画面を示す説明図である。
【図７】同実施形態の第１の設定例にかかるコンテンツ再生方法における除外コンテンツの設定画面を示す説明図である。
【図８】同実施形態の第１の設定例にかかるコンテンツ再生方法における除外コンテンツの設定画面を示す説明図である。
【図９】同実施形態の第１の設定例にかかる除外コンテンツの設定後の再生予定リストの例を示す説明図である。
【図１０】同実施形態の第２の設定例にかかるコンテンツ再生方法における除外コンテンツの設定画面を示す説明図である。
【図１１】同実施形態の第２の設定例にかかるコンテンツ再生方法における除外コンテンツの設定画面を示す説明図である。
【図１２】同実施形態の第２の設定例にかかる除外コンテンツの設定後の再生予定リストの例を示す説明図である。
【図１３】同実施形態の第１変更例にかかるコンテンツの再生方法を示すフローチャートである。
【図１４】同実施形態の第２変更例にかかるコンテンツの再生方法を示すフローチャートである。
【図１５】同実施形態の第３変更例にかかるコンテンツの再生方法を示すフローチャートである。
【図１６】同実施形態の第４変更例にかかるコンテンツの再生方法を示すフローチャートである。
【図１７】同実施形態の第５変更例にかかるコンテンツの再生方法を示すフローチャートである。
【図１８】同実施形態の第６変更例にかかるコンテンツの再生方法を示すフローチャートである。
【図１９】同実施形態の第７変更例にかかるコンテンツの再生方法を示すフローチャートである。
【図２０】同実施形態の第８変更例にかかるコンテンツの再生方法を示すフローチャートである。
【符号の説明】
【０１４７】
１０      再生装置
２０      情報処理装置（ＰＣ）
１２０      通信部
１３０      記憶部
１３２      コンテンツデータ
１３４      属性データ
１３６      再生予定リスト
１４０      操作部
１４２      再生モード設定部
１４４      再生対象設定部
１４６      再生対象除外部
１５０      再生部
１５２      再生予定リスト作成部
１５４      コンテンツ再生部
１６０      表示部
【図１】
2008310908.tif 000003
【図２】
2008310908.tif 000004
【図３】
2008310908.tif 000005
【図４】
2008310908.tif 000006
【図５】
2008310908.tif 000007
【図６】
2008310908.tif 000008
【図７】
2008310908.tif 000009
【図８】
2008310908.tif 000010
【図９】
2008310908.tif 000011
【図１０】
2008310908.tif 000012
【図１１】
2008310908.tif 000013
【図１２】
2008310908.tif 000014
【図１３】
2008310908.tif 000015
【図１４】
2008310908.tif 000016
【図１５】
2008310908.tif 000017
【図１６】
2008310908.tif 000018
【図１７】
2008310908.tif 000019
【図１８】
2008310908.tif 000020
【図１９】
2008310908.tif 000021
【図２０】
2008310908.tif 000022